(57)【要約】【課題】複数枚の文書の一部の修正を簡便化すること。【解決手段】画像データを取得する画像取得手段と、第一の給紙部より文書の原稿用紙を順番に給紙させ所定の排紙部に排紙させる搬送制御手段と、前記搬送制御手段によって、指定されたページに係る前記原稿用紙が給紙されたときに、第二の給紙部より用紙を給紙させ前記用紙に前記画像データを印刷させて前記所定の排紙部に排紙させる印刷制御手段とを有する。【選択図】図３
2011167985.tif 000002
【特許請求の範囲】
【請求項１】
画像データを取得する画像取得手段と、
第一の給紙部より文書の原稿用紙を順番に給紙させ所定の排紙部に排紙させる搬送制御手段と、
前記搬送制御手段によって、指定されたページに係る前記原稿用紙が給紙されたときに、第二の給紙部より用紙を給紙させ前記用紙に前記画像データを印刷させて前記所定の排紙部に排紙させる印刷制御手段とを有する画像形成装置。
【請求項２】
前記搬送制御手段は、指定されたページに係る前記原稿用紙以外の前記原稿用紙を前記所定の排紙部に排紙させる請求項１記載の画像形成装置。
【請求項３】
前記画像取得手段は、画像読取部によって読み取られた画像データを取得する請求項１又は２記載の画像形成装置。
【請求項４】
前記画像取得手段は、記憶装置より画像データを取得する請求項１又は２記載の画像形成装置。
【請求項５】
給紙部より文書の原稿用紙を順番に給紙させ、指定されたページに係る前記原稿用紙以外のページを所定の排紙部に排紙させる原稿搬送制御手段を有する画像形成装置。
【請求項６】
画像形成装置が、
画像データを取得する画像取得手順と、
第一の給紙部より文書の原稿用紙を順番に給紙させ所定の排紙部に排紙させる搬送制御手順と、
前記搬送制御手順において、指定されたページに係る前記原稿用紙が給紙されたときに、第二の給紙部より用紙を給紙させ前記用紙に前記画像データを印刷させて前記所定の排紙部に排紙させる印刷制御手順とを実行する文書処理方法。
【請求項７】
前記搬送制御手順は、指定されたページに係る前記原稿用紙以外の前記原稿用紙を前記所定の排紙部に排紙させる請求項６記載の文書処理方法。
【請求項８】
前記画像取得手順は、画像読取部によって読み取られた画像データを取得する請求項６又は７記載の文書処理方法。
【請求項９】
前記画像取得手順は、記憶装置より画像データを取得する請求項６又は７記載の文書処理方法。
【請求項１０】
画像形成装置が、
給紙部より文書の原稿用紙を順番に給紙させ、指定されたページに係る前記原稿用紙以外のページを所定の排紙部に排紙させる原稿搬送制御手順を実行する文書処理方法。
【請求項１１】
画像形成装置に、
画像データを取得する画像取得手順と、
第一の給紙部より文書の原稿用紙を順番に給紙させ所定の排紙部に排紙させる搬送制御手順と、
前記搬送制御手順において、指定されたページに係る前記原稿用紙が給紙されたときに、第二の給紙部より用紙を給紙させ前記用紙に前記画像データを印刷させて前記所定の排紙部に排紙させる印刷制御手順とを実行させるためのプログラム。
【請求項１２】
前記搬送制御手順は、指定されたページに係る前記原稿用紙以外の前記原稿用紙を前記所定の排紙部に排紙させる請求項１１記載のプログラム。
【請求項１３】
前記画像取得手順は、画像読取部によって読み取られた画像データを取得する請求項１１又は１２記載のプログラム。
【請求項１４】
前記画像取得手順は、記憶装置より画像データを取得する請求項１１又は１２記載のプログラム。
【請求項１５】
画像形成装置に、
給紙部より文書の原稿用紙を順番に給紙させ、指定されたページに係る前記原稿用紙以外のページを所定の排紙部に排紙させる原稿搬送制御手順を実行させるためのプログラム。
【発明の詳細な説明】
【技術分野】
【０００１】
本発明は、画像形成装置、文書処理方法、及びプログラムに関し、特に複数枚の文書に関する処理を実行する画像形成装置、文書処理方法、及びプログラムに関する。
【背景技術】
【０００２】
コピー機能又は印刷機能等によって画像形成装置に複数ページの印刷物を出力させた後に、一部のページに誤植が発見され、差し替えが必要とされることがある。又は、印刷物の出力後に新たなページを後から追加したい場合や、一部のページを除去したい場合もある。
【０００３】
このような場合、従来であれば、手作業によって差し替え、追加、又は除去等を行う必要があった。
【発明の概要】
【発明が解決しようとする課題】
【０００４】
しかしながら、印刷部数が多い場合や、多数のページを差し替え等する必要がある場合は、作業が非常に煩雑である。したがって、作業負担の軽減を優先させて、改めて全ページの印刷が実行される場合あった。しかし、修正を要しないページの再印刷は、用紙の浪費であり、コスト的観点及び省資源の観点から好ましくない。
【０００５】
本発明は、上記の点に鑑みてなされたものであって、複数枚の文書の一部の修正を簡便化することのできる画像形成装置、文書処理方法、及びプログラムの提供を目的とする。
【課題を解決するための手段】
【０００６】
そこで上記課題を解決するため、本発明に係る画像形成装置は、画像データを取得する画像取得手段と、第一の給紙部より文書の原稿用紙を順番に給紙させ所定の排紙部に排紙させる搬送制御手段と、前記搬送制御手段によって、指定されたページに係る前記原稿用紙が給紙されたときに、第二の給紙部より用紙を給紙させ前記用紙に前記画像データを印刷させて前記所定の排紙部に排紙させる印刷制御手段とを有する。
【０００７】
このような画像形成装置では、複数枚の文書の一部の修正を簡便化することができる。
【発明の効果】
【０００８】
本発明によれば、複数枚の文書の一部の修正を簡便化することができる。
【図面の簡単な説明】
【０００９】
【図１】本発明の実施の形態における画像形成装置のハードウェア構成例を示す図である。
【図２】本発明の実施の形態の画像形成装置の機能概要を説明するための図である。
【図３】本発明の実施の形態における画像形成装置の機能構成例を示す図である。
【図４】本発明の実施の形態の画像形成装置の処理手順を説明するためのフローチャートである。
【発明を実施するための形態】
【００１０】
以下、図面に基づいて本発明の実施の形態を説明する。図１は、本発明の実施の形態における画像形成装置のハードウェア構成例を示す図である。図１において、画像形成装置１０は、コントローラ１１、スキャナ１２、プリンタ１３、モデム１４、操作パネル１５、ネットワークインタフェース１６、ＳＤカードスロット１７、原稿給紙部１２１、修正用紙給紙部１２２、原稿排紙部１２３、及び除去用紙排紙部１２４等のハードウェアを有する。
【００１１】
コントローラ１１は、ＣＰＵ１１１、ＲＡＭ１１２、ＲＯＭ１１３、及びＨＤＤ１１４等を有する。ＲＯＭ１１３には、各種のプログラムやプログラムによって利用されるデータ等が記録されている。ＲＡＭ１１２は、プログラムをロードするための記憶領域や、ロードされたプログラムのワーク領域等として用いられる。ＣＰＵ１１１は、ＲＡＭ１１２にロードされたプログラムを処理することにより、各種の機能を実現する。ＨＤＤ１１４には、プログラムやプログラムが利用する各種のデータ等が記録される。
【００１２】
スキャナ１２は、原稿より画像データを読み取るためのハードウェア（画像読取部）である。プリンタは１３、印刷データを印刷用紙に印刷するためのハードウェア（印刷部）である。モデム１４は、電話回線に接続するためのハードウェアであり、ＦＡＸ通信による画像データの送受信を実行するために用いられる。操作パネル１５は、ユーザからの入力の受け付けを行うめのボタン等の入力手段や、液晶パネル等の表示手段を備えたハードウェアである。ネットワークインタフェース１６は、ＬＡＮ等のネットワーク（有線又は無線の別は問わない。）に接続するためのハードウェアである。ＳＤカードスロット１７は、ＳＤカード８０に記録されたプログラムを読み取るために利用される。すなわち、画像形成装置１０では、ＲＯＭ１１３に記録されたプログラムだけでなく、ＳＤカード８０に記録されたプログラムもＲＡＭ１１２にロードされ、実行されうる。なお、他の記録媒体（例えば、ＣＤ−ＲＯＭ又はＵＳＢ（Universal Serial Bus）メモリ等）によってＳＤカード８０が代替されてもよい。すなわち、ＳＤカード８０の位置付けに相当する記録媒体の種類は、所定のものに限定されない。この場合、ＳＤカードスロット１７は、記録媒体の種類に応じたハードウェアによって代替されればよい。
【００１３】
原稿給紙部１２１、修正用紙給紙部１２２、原稿排紙部１２３、及び除去用紙排紙部１２４については、図２を参照しつつ説明する。
【００１４】
図２は、本発明の実施の形態の画像形成装置の機能概要を説明するための図である。本実施の形態において、画像形成装置１０は、複数枚数からなる紙文書（印刷物又は手書きの文書等）について、一部のページの追加、除去、又は差し替え等の修正を行う。同図では、差し替えの様子が示されている。
【００１５】
原稿給紙部１２１は、修正対象とされる紙文書（以下、「原稿」という。）が配置されるハードウェア（例えば、トレイ）である。同図の例では、３ページ目に誤植を含む５ページの原稿が原稿給紙部１２１に配置されている。
【００１６】
修正用紙給紙部１２２は、追加又は差し替えの場合に、修正画像データ５０が印刷される用紙（例えば、白紙等。以下「修正用紙」という。）が配置されるハードウェア（例えば、トレイ）である。修正画像データ５０は、追加されるページ又は差し替えられるページに対して印刷されるべき画像データである。修正画像データ５０は、追加又は差し替え時にスキャナ１２によって読み取られてもよいし、ＨＤＤ１４４又は画像形成装置１０とネットワークを介して接続される外部記憶装置に予め記録されていてもよい。
【００１７】
原稿排紙部１２３は、原稿給紙部１２１より給紙される用紙（原稿用紙）が排紙されるハードウェア（例えば、トレイ）である。但し、差し替え又は除去の場合、差し替え対象又は除去対象とされるページを含む原稿用紙は除去用紙排紙部１２４に排紙される。また、差し替えの場合、差し替え対象とされるページについては、修正用紙給紙部１２２より給紙され、修正画像データ５０が印刷された用紙（以下、「修正画像ページ」という。）が原稿排紙部１２３に排紙される。
【００１８】
同図では、原稿の３ページ目に係る原稿用紙は除去用紙排紙部１２４に排紙されている。また、修正画像ページは、原稿の３ページ目として原稿排紙部１２３に排紙されている。
【００１９】
斯かる機能を実現するため、画像形成装置１０は、図３に示される機能構成を有する。図３は、本発明の実施の形態における画像形成装置の機能構成例を示す図である。同図において、画像形成装置１０は、設定情報取得部１３１、修正画像取得部１３２、原稿搬送制御部１３３、及び印刷制御部１３４等を有する。
【００２０】
設定情報取得部１３１は、設定情報を取得し、ＲＡＭ１１２に記録する。設定情報は、操作パネル１５を介して取得されてもよいし、ＨＤＤ１１４より取得さされてもよい。前者は、原稿の修正時に設定情報をユーザに設定させる形態である。後者は、設定情報が予め設定されている形態である。設定情報は、例えば、修正種別、修正対象ページ、枚数、
ページ情報、及び修正画像取得先等の項目を有する。修正種別は、追加、除去、又は差し替えの別である。修正対象ページは、修正対象とされるページのページ番号である。複数のページを修正する場合、複数のページ番号が指定される。枚数は、原稿用紙の枚数であり、原稿が複数部数の場合に、各部を区別するために使用される。したがって、原稿が１部である場合は指定されなくてもよい。ページ情報は、原稿が両面印刷又は集約印刷されているかを示す情報である。すなわち、各原稿用紙とページ番号との対応を判定するために用いられる情報である。例えば、両面印刷（集約なし）の場合、１枚の原稿用紙には２ページ含まれているものとして扱われる。また、集約印刷（両面なし）の場合、１枚の原稿には、集約数分のページが含まれているものとして扱われる。更に、両面及び集約が組み合わされている場合、１枚の原稿には２×集約数分のページが含まれているものとして扱われる。なお、原稿が集約印刷されている場合、ページ情報として集約数も指定される。但し、原稿が片面印刷であり集約されていない場合（すなわち、原稿用紙の枚数とページ数とが一致する場合）、ページ情報は指定されなくてもよい。
【００２１】
修正画像取得先は、修正画像データ５０の取得先を示す情報である。上述したように、修正画像データ５０の取得先としては、スキャナ１２、ＨＤＤ１１４、又は外部記憶装置等が挙げられる。当該取得先がスキャナ１２の場合、当該取得先を示す情報はスキャナ１２を示す識別子となる。当該取得先がＨＤＤ１１４又は外部記憶装置等の場合、当該取得先を示す情報は、修正画像データ５０を格納したファイルの位置情報（ファイル名又はＵＲＬ（Uniform Resource Locator）等）となる。
【００２２】
修正画像取得部１３２は、設定情報において指定された取得先より修正画像データ５０を取得する。原稿搬送制御部１３３は、原稿給紙部１２１に配置された原稿用紙を１枚ずつ順番に給紙させ、原稿排紙部１２３に排紙させる。但し、修正種別が、除去又は差し替えの場合、原稿搬送制御部１３３は、設定情報において指定された修正対象ページに係る原稿用紙については、除去用紙排紙部１２４に排紙する。印刷制御部１３４は、原稿搬送制御部１３３による給紙対象の原稿用紙が修正対象ページを含む場合に、修正用紙給紙部１２２より修正用紙を給紙させる。印刷制御部１３４は、プリンタ１３を制御して、修正画像取得部１３２によって取得された修正画像データ５０を修正用紙に印刷させる。印刷制御部１３４は、修正画像データ５０が印刷された修正用紙を原稿排紙部１２３に排紙させる。
【００２３】
以下、画像形成装置１０の処理手順について説明する。図４は、本発明の実施の形態の画像形成装置の処理手順を説明するためのフローチャートである。操作者によって、処理の開始指示の入力（例えば、スタートキーの押下）が行われると、図４の処理が開始される。
【００２４】
ステップＳ１０１において、設定情報取得部１３１は、設定情報を取得し、ＲＡＭ１１２に記録する。続いて、修正画像取得部１３２は、設定情報を参照して、修正種別は追加又は差し替えであるかを判定する（Ｓ１０２）。修正種別が追加又は差し替えである場合（Ｓ１０２でＹｅｓ）、修正画像取得部１３２は、設定情報において指定された取得先より修正画像データ５０を取得する（Ｓ１０３）。取得先がスキャナ１２である場合、修正画像取得部１３２は、所定の位置（ＡＤＦ（Auto Document Feeder）又は原稿台コンタクトガラス等）にセットされている修正原稿からの修正画像データ５０の読みとりをスキャナ１２に実行させる。複数ページがセットされている場合、複数の修正画像データ５０が取得される。また、取得先がＨＤＤ１１４又は外部記憶装置である場合、修正画像取得部１３２は、取得先によって示されるファイルより修正画像データ５０を取得する。複数の取得先（ファイル名等）が指定されている場合、複数の修正画像データ５０が取得される。修正画像取得部１３２は、取得された修正画像データ５０をＲＡＭ１１２に記録する。なお、原稿が両面又は集約印刷されている場合、修正対象ページと同一の原稿用紙に含まれている他のページに係る画像データも修正画像取得部１３２によって取得される。修正種別が除去の場合は、ステップＳ１０３は実行されない。
【００２５】
続いて、原稿搬送制御部１３３は、原稿給紙部１２１からの給紙対象の原稿用紙（以下、「カレント原稿用紙」という。）が、設定情報に指定された修正対象ページを含むか否かを判定する。具体的には、原稿搬送制御部１３３は、ステップＳ１０４が実行させるたびにカレント原稿用紙の番号を保持するカウンタの値（初期値は０）をインクリメントし、当該カウンタと修正対象ページとを比較する。原稿が片面印刷であり、集約されていない場合、当該カウンタと修正対象ページとが一致すれば、カレント原稿用紙は修正対象ページを含むと判定される。原稿が両面又は集約印刷されている場合、両面又は集約数を考慮してカレント原稿用紙が修正対象ページを含むか否かが判定される。なお、カウンタの値が設定情報に指定された枚数を超えた場合、カウンタには１が代入される。
【００２６】
カレント原稿用紙が修正対象ページを含まない場合（Ｓ１０４でＮｏ）、原稿搬送制御部１３３は、原稿給紙部１２１から１枚の原稿用紙を給紙させ（Ｓ１０５）、当該原稿用紙をそのまま（印刷処理を行わずに）原稿排紙部１２３に排紙させる（Ｓ１０５）。
【００２７】
カレント原稿用紙が修正対象ページを含む場合（Ｓ１０４でＹｅｓ）、原稿搬送制御部１３３は、設定情報を参照して修正種別は除去又は差し替えであるかを判定する（Ｓ１１１）。修正種別が除去又は差し替えである場合（Ｓ１１１でＹｅｓ）、原稿搬送制御部１３３は、原稿給紙部１２１から１枚の原稿用紙を給紙させ（Ｓ１１２）、当該原稿用紙をそのまま除去排紙部に排紙させる（Ｓ１１３）。
【００２８】
一方、修正種別が除去又は差し替えではない場合、すなわち、追加である場合（Ｓ１１１でＮｏ）、原稿搬送制御部１３３は、原稿給紙部１２１から１枚の原稿用紙を給紙させ（Ｓ１１４）、当該原稿用紙をそのまま（印刷処理を行わずに）原稿排紙部１２３に排紙させる（Ｓ１１５）。
【００２９】
続いて、印刷制御部１３４は、設定情報を参照して修正種別は追加又は差し替えであるかを判定する（Ｓ１２１）。修正種別が追加又は差し替えである場合（Ｓ１２１でＹｅｓ）、印刷制御部１３４は、修正用紙給紙部１２２より１枚の修正用紙を給紙させる（Ｓ１２２）。続いて、印刷制御部１３４は、ＲＡＭ１１２に記録されている修正画像データ５０の印刷をプリンタ１３に実行させる（Ｓ１２３）。修正画像データ５０が複数有る場合、例えば、取得された順に印刷対象が選択される。また、設定情報のページ情報において両面又は集約が指定されている場合、修正対象ページと同一の原稿用紙に含まれる他のページに係る画像データをも用いて両面又は集約印刷が修正用紙に対して実行される。続いて、印刷制御部１３４は、修正画像データ５０が印刷された修正用紙を原稿排紙部１２３に排紙させる（Ｓ１２４）。
【００３０】
ステップＳ１０４以降の処理が、原稿給紙部１２１に配置された全てのページについて終了すると（Ｓ１２５でＹｅｓ）、図４の処理は終了する。
【００３１】
なお、上記の処理手順では、修正種別が追加の場合、修正対象ページの後に修正画像データが印刷された修正用紙が追加される。修正対象ページの当該修正用紙を追加させる場合は、ステップＳ１１４及びＳ１１５をステップＳ１２４の後に実行すればよい。
【００３２】
また、画像形成装置１０とネットワークを介して接続されるＰＣ（Personal Computer）等において、設定情報の設定を可能としてもよい。この場合、当該ＰＣに保存されている修正画像データ５０が画像形成装置１０に転送されるようにしてもよい。
【００３３】
更に、原稿給紙部１２１に配置された原稿が複数部数を含む場合、当該複数部数の配列状態（スタック状態又はソート状態）を設定情報において指定可能としてもよい。ステップＳ１０４以降は、当該配列状態に応じて追加、除去、又は差し替えを行うようにすればよい。
【００３４】
上述したように、本実施の形態の画像形成装置１０は、設定情報に従って、自動的に原稿の一部のページの修正（追加、除去、又は差し替え等を）を実行する。したがって、当該修正作業を著しく簡便化することができる。その結果、全ページが印刷され直す機会を減少させることができ、コスト削減や省資源化等を図ることができる。
【００３５】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【００３６】
１０          画像形成装置
１１          コントローラ
１２          スキャナ
１３          プリンタ
１４          モデム
１５          操作パネル
１６          ネットワークインタフェース
１７          ＳＤカードスロット
１１１        ＣＰＵ
１１２        ＲＡＭ
１１３        ＲＯＭ
１１４        ＨＤＤ
１２１        原稿給紙部
１２２        修正用紙給紙部
１２３        原稿排紙部
１２４        除去用紙排紙部
１３１        設定情報取得部
１３２        修正画像取得部
１３３        原稿搬送制御部
１３４        印刷制御部
【先行技術文献】
【特許文献】
【００３７】
【特許文献１】特願２００７−３０２３５５号公報
【図１】
2011167985.tif 000003
【図２】
2011167985.tif 000004
【図３】
2011167985.tif 000005
【図４】
2011167985.tif 000006